(57)【要約】【課題】電気カーペット等の電気採暖具に関するもので、人が乗って使用する場合、均一な厚みの断熱材または表面材の弾力性により、体重の支持を行なうため、体重の重心に荷重の集中が起こり易く、座りごごちが悪いという問題を有していた。【解決手段】発熱体１および発熱体を覆う軟質発泡体２を有する本体８と、本体の上面に設けた表面材３および下面に設けた裏材４を備え、本体の上面に複数個の凸形状の突起５を設けた電気採暖具である。採暖者が乗って使用する場合、複数の凸形状の突起５が体重を分散支持し、体荷重の集中を防ぎ座りごごちを良くする。【選択図】  図２
2004317035.tif 000002
【特許請求の範囲】
【請求項１】
発熱体および前記発熱体を覆う断熱材を有する本体と、前記本体の上面に設けた表面材および下面に設けた裏材を備え、前記本体の上面もしくは下面に複数個の凸形状の突起を設けてなる電気採暖具。
【請求項２】
発熱体および前記発熱体を覆う断熱材を有する本体と、前記本体の上面に設けた表面材および下面に設けた裏材を備え、前記本体の上面および下面に複数個の凸形状の突起を設けてなる電気採暖具。
【請求項３】
本体の上面に設けた突起と、本体の下面に設けた突起とは、略同一位置にしてなる請求項２に記載の電気採暖具。
【請求項４】
凸形状の突起は、略球面形状とした請求項１〜３のいずれか１項に記載の電気採暖具。
【発明の詳細な説明】
【０００１】
【発明の属する技術分野】
本発明は、電気カーペット等の電気採暖具に関するものである。
【０００２】
【従来の技術】
従来の電気カーペット等の電気採暖具は、一般的には図６、図７に示すようにフェルト等の断熱材２１にコード状のチュビングヒータ等の発熱体２２を均一に蛇行状に配設し、その本体の上面および下面に不織布等の表布２３を配置する構成となっていた（特許文献１参照）。２４は床等の設置面で、２５は表カバーである。
【０００３】
しかしながら、従来の電気採暖具では図８に示すように、採暖者Ａが乗って使用する場合、弾性体で、かつ全面が平らな均一な厚みの断熱材２１、そして表布２３により、採暖者の体重の支持を行なうため、白抜き矢印で示す体重の重心に荷重の集中が起こり易く、座りごごちが悪いという問題を有していた。
【０００４】
【特許文献１】
特開平０８−２６９５９１号公報
【０００５】
【発明が解決しようとする課題】
前記従来の技術の問題点に鑑み、本発明が解決しようとする課題は、使用時における採暖者の体荷重の集中を防ぎ、座りごごちの良好な電気採暖具を提供することを目的とする。
【０００６】
【課題を解決するための手段】
前記目的を達成するために本発明の電気採暖具は、発熱体および前記発熱体を覆う断熱材を有する本体と、前記本体の上面に設けた表面材および下面に設けた裏材を備え、前記本体の上面もしくは下面に複数の凸形状の突起を設けたものである。これによって、採暖者が乗って使用する場合、複数の凸形状の突起が体重を分散支持し、体重の重心に荷重の集中が起こり難くなり、座りごごちを良くできる。
【０００７】
【発明の実施の形態】
前記した本発明の目的は、各請求項に記載した構成を実施の形態とすることにより達成できるので、以下には各請求項の構成に、その構成による作用効果を併記し、併せて請求項記載の構成のうち説明を必要とする特定用語については詳細な説明を加えて本発明の実施の形態とする。
【０００８】
請求項１記載に係る発明は、発熱体および前記発熱体を覆う断熱材を有する本体と、前記本体の上面に設けた表面材および下面に設けた裏材を備え、前記本体の上面もしくは下面に複数の凸形状の突起を設けたもので、採暖者が乗って使用する場合、複数の凸形状の突起が体重を分散支持し、体荷重の集中を防ぎ、座りごごちの良好な電気採暖具を提供することができるとともに、凸形状の突起と表面のカバーもしくは、下面の凸形状の突起と電気採暖具載置面との間に形成される空気層が断熱効果を有し、電気採暖具に省エネルギー効果を付加することができる。
【０００９】
請求項２記載に係る発明は、発熱体および前記発熱体を覆う断熱材を有する本体と、前記本体の上面に設けた表面材および下面に設けた裏材を備え、前記本体の上面および下面に複数の凸形状の突起を設けたもので、本体の上面および下面における複数の凸形状の突起により、体荷重の分散支持を確実に行うことができ、より座りごごちの良好な電気採暖具を提供することができるとともに、上面の凸形状の突起と表面のカバーおよび、下面の凸形状の突起と電気採暖具載置面との間に形成される２つの空気層が断熱効果を有し、電気採暖具の省エネルギー効果のさらなる向上を図ることができる。
【００１０】
請求項３記載に係る発明は、請求項２記載における本体の上面に設けた突起と、本体の下面に設けた突起とが、略同一位置にあるので、これにより各突起が上下の同じ位置で重なるので、凸形状の突起の弾性力を高め、分散支持する最大荷重を増加させることができ、体荷重の大小にかかわらず、より座りごごちの良好な電気採暖具を提供することができる。
【００１１】
さらに、請求項４記載に係る発明は、凸形状の突起を略球面形状としたことにより、凸形状の突起にかかるそれぞれの荷重を安定して均一に分散することになり、体荷重の分散支持の効率を高めることができ、より座りごごちの良好な電気採暖具を提供することができる。
【００１２】
【実施例】
以下、本発明の実施例について図面を用いて説明する。
【００１３】
（実施例１）
図１は本発明の実施例１における電気採暖具を示す外観斜視図で、図２は同電気採暖具の要部を示す断面図で、図３は同電気採暖具の使用状態を示す要部断面図である。図１において、電気採暖具の本体８は電気ヒータ等の発熱体１と、軟質発泡体２と、柔軟性の表面材３および裏面材４より構成されている。そして、熱源である発熱体１は、断熱材としての軟質発泡体２に埋設固定されて覆われている。表面材３は軟質発泡体２の上面に、裏材４は軟質発泡体２の下面にそれぞれ配設されている。
【００１４】
また、軟質発泡体２の上面には凸形状の突起５を複数（多数）個形成している。従って、表面材３は複数の突起５に沿って設けられ、結果として本体８の上面には複数の突起５により、多数の突起が形成されるものである。さらに、表面材３の上面には、デザイン性の良い表カバー７が載置されている。従って、表カバー７は凸形状の突起５との間に、採暖者が乗らない状態または乗って居らない部分においては積極的に、空気層１２を形成するものである。また、電気採暖具の本体８の一端には、発熱体１の温度調整を行うコントローラー９が配設されている。１０は本体８を設置する電気採暖具載置面である。
【００１５】
以上のように構成された電気採暖具について、以下その動作と作用について説明する。まず、採暖者Ａが本体８に乗って使用すると、図３に示すように加わった体荷重１１により軟質発泡体２が、それ自身の持つ弾性力に抗して収縮するとともに、本体８の上面にある複数個の凸形状の突起５が、加わった体荷重１１を分散支持するものである。従って、従来の技術の電気採暖具に比べて、体重の重心部分に荷重の集中が避けられ、良好な座りごこちにできる。また、表カバー７と凸形状の突起５との間に形成される空気層１２が断熱層の働きを行い、電気採暖具の省エネルギー性を向上させることができる。
【００１６】
なお、本実施例では本体８の上面に複数の凸形状の突起５を設けたが、この複数個の凸形状の突起を本体８の裏面にのみ配設することによっても、本実施例と同様の作用効果を期待することができる。
【００１７】
（実施例２）
図４は本発明の実施例２における電気採暖具の要部を示す断面図で、図５は同電気採暖具の使用状態を示す断面図である。本実施例は、電気採暖具の本体の上面と下面にそれぞれ複数の突起を設けた点で実施例１の発明と異なり、同一の構成並びに作用効果を奏するところには同じ符号を付して詳細な説明を省略し、異なるところを中心に説明する。
【００１８】
図４において、軟質発泡体２は上面および下面に、それぞれ凸形状の突起５、６を複数個形成している。従って、表面材３は複数の突起５に沿って設けられ、結果として本体８の上面には複数の突起５により、多数の突起が形成され、同じように裏材４は複数の突起６に沿って設けられ、結果として本体８の下面にも複数の突起６により、多数の突起が形成されるものである。また、表カバー７と凸形状の突起５との間に、採暖者が乗らない状態または乗って居らない部分においては積極的に形成される空気層１２と同じように、電気採暖具載置面１０と凸形状の突起６との間にも空気層１２が形成されるものである。
【００１９】
以上のように構成された電気採暖具について、以下その動作と作用について説明する。まず、採暖者Ａが本体８に乗って使用すると、図５に示すように加わった体荷重１１により軟質発泡体２が、それ自身の持つ弾性力に抗して収縮するとともに、本体８の上面における複数個の凸形状の突起５と、下面における複数個の凸形状の突起６との両方が、加わった体加重１１を分散支持する。そして、従来の技術の電気採暖具に比べて、体重の重心部分に荷重の集中が避けられ、良好な座りごこちを提供するとともに、体重の分散支持を確実に行うことができ、より座りごごちの良好な電気採暖具を提供することができる。また、凸形状の突起５および突起６と表面のカバーおよび、電気採暖具載置面１０との間に形成される上下の２つの空気層１２が断熱効果をそれぞれ発揮し、電気採暖具の省エネルギー効果をより向上させることができる。
【００２０】
（実施例３）
本実施例は、電気採暖具の本体の上面と下面にそれぞれ設けた複数の突起の中心位置を略同一にした点で実施例２の発明と異なり、それ以外の同一の構成並びに作用効果を奏するところには、図４、図５を利用して同じ符号を付し、詳細な説明を省略し、異なるところを中心に説明する。
【００２１】
軟質発泡体２の上面と下面にそれぞれ形成された複数個の凸形状の突起５と突起６とは、それぞれの中心位置である本体８の上下面を通る垂直な中心線Ｓを略同一位置に設定し、かつ下面の突起６が上面の突起５より大きく形成している。
【００２２】
従って、本体８の上面に臨む複数の突起５と下面に臨む複数の突起６とが中心線Ｓを略同じ位置にして上下方向に重なり、かつ下側の突起６が大きいので、本体８としての凸形状の突起における弾性力を高め、分散支持する最大荷重を増加させることができ、採暖者による体重の軽い重いにかかわらず、より座りごごちの良好な電気採暖具を提供することができる。
【００２３】
（実施例４）
本実施例は、実施例１〜３に記載の電気採暖具における複数の凸形状の突起を、略球面形状にしたものであり、それ以外の同一の構成並びに作用効果を奏するところには、図１〜図５を利用して同じ符号を付し、詳細な説明を省略し、異なるところを中心に説明する。
【００２４】
実施例１〜３に記載の電気採暖具における複数の凸形状の突起５、突起６は、図１〜図５に示すように略球面形状としたものである。そして、本体８の下面の突起６は、上面の突起５より大きいので、その略球面形状の半径も大きくしてある。
【００２５】
従って、複数の凸形状の突起５、突起６は、その外形が荷重を受ける先端部より根元部分にかけて自然に広がる形となり、各突起にかかる荷重を安定して均一に分散し、採暖者Ａの体重を分散して支持する効率を高めることができ、より座りごごちの良好な電気採暖具を提供することができる。
【００２６】
なお、上記実施例では突起を凸形状に形成しているが、これに限定されるものではなく、電気採暖具上に加わる体荷重を分散支持する本発明の目的の範囲内であれば種々の突起であっても良い。
【００２７】
【発明の効果】
以上のように本発明によれば、複数の凸形状の突起により、採暖者の体重を分散支持し、体荷重の集中を防ぎ座りごごちの良好な電気採暖具を提供することができる。
【図面の簡単な説明】
【図１】本発明の実施例１および４における電気採暖具を示す外観斜視図
【図２】同実施例１および４における電気採暖具を示す要部断面図
【図３】同実施例１および４における電気採暖具の使用状態を示す要部断面図
【図４】本発明の実施例２および３、４における電気採暖具を示す要部断面図
【図５】同実施例２および３、４における電気採暖具の使用状態を示す断面図
【図６】従来の電気採暖具を示す外観斜視図
【図７】同電気採暖具を示す要部断面図
【図８】同電気採暖具の使用状態を示す要部断面図
【符号の説明】
１  発熱体
２  軟質発泡体（断熱材）
３  表面材
４  裏材
５、６  凸形状の突起
８  本体
Ｓ  中心線（略同一位置）
【図１】
2004317035.tif 000003
【図２】
2004317035.tif 000004
【図３】
2004317035.tif 000005
【図４】
2004317035.tif 000006
【図５】
2004317035.tif 000007
【図６】
2004317035.tif 000008
【図７】
2004317035.tif 000009
【図８】
2004317035.tif 000010